(57)【要約】【課題】      手元を見ないで柄杓の操作が容易にできる撒き餌用釣り具を提供すること。【解決手段】  撒き餌用釣り具１は合成樹脂や金属で撒き餌４を押圧する板体１ａと柄杓立て保持部１ｂが間隙Ｋをあけて係合部１ｃで連結されて一体に形成されて係合部１ｃは鈎状に形成されその内側が撒き餌収納容器２の開口縁に跨って係止される係止部１ｄに構成されて着脱可能に構成されている。  柄杓立て保持部１ｂは矩形の枠体状に形成されて矩形の透孔１ｅの中に柄杓立て６が着脱自在に挿入され、柄杓立て６はポリプロピレンやポリ塩化ビニ−ル等の合成樹脂で上方が開口した容器で、側壁の前壁６ｃと後壁６ｄがＶ字形にそれぞれ傾斜して形成されている。【選択図】        図１
2005237315.tif 000002
【特許請求の範囲】
【請求項１】
柄杓で掬った撒き餌を押圧する板体と柄杓立てを、撒き餌収納容器の開口に差し込むための間隙を設けて対向位置に配したことを特徴とする撒き餌用釣り具。
【請求項２】
板体と柄杓立ては、撒き餌収納容器の開口に着脱可能な係止部を介して連結されていることを特徴とする請求項１記載の撒き餌用釣り具。
【請求項３】
柄杓立ては撒き餌用釣り具に着脱自在に係合していることを特徴とする請求項１または２記載の撒き餌用釣り具。
【請求項４】
柄杓立ては上方に開口する容器であることを特徴とする請求項１乃至３記載の撒き餌用釣り具。
【発明の詳細な説明】
【技術分野】
【０００１】
本発明は、撒き餌を押圧する板体と柄杓立てを釣り用バケツに取り付けられるように改良した撒き餌用釣り具に関する。
【背景技術】
【０００２】
従来から撒き餌を使用する釣りは、釣り用バケツに撒き餌を入れて足元に置き、釣り用柄杓で掬って撒き餌を投入することで行われていた。
この時、釣り人は、釣り用柄杓で掬った撒き餌をばらけないように投入するため釣り用バケツ内側に沿って特許文献１のように、硬質の板（撒き餌用の押圧板）を取り付けて柄杓で掬った撒き餌を板で掬い部内に押しつけ固めてから投入していた。
一方、釣り用柄杓はすぐに使えるように釣り用バケツに立てておくため特許文献２のように、釣り用バケツに柄杓立てを取り付けていた。
柄杓立ては、柄杓を差し込むケ−ス部と釣り用バケツに取り付けるためのクリップを有し、ケ−ス部が釣り用バケツの外側になるように釣り用バケツの開口にクリップで止着するようになっていた。
ところが、これらは共に釣り用バケツの一側面（釣り人側の側面）に取り付けると使い勝手がよいが、撒き餌用の押圧板と柄杓立ての両方を釣り用バケツの一側面に取り付けるのは難しく、無理に取り付けると使用中に脱落する虞があった。
また、それぞれをずらせて釣り用バケツの一側面に取り付けることもできるが、撒き餌を使用する釣りは、釣りをしながら手元を見ないで柄杓の操作をするため使い勝手が悪かった。
特許文献１では釣り用バケツの一側面に取り付ける、撒き餌用の押圧板が記載されている。
特許文献２では釣り用バケツに取り付けるためクリップを有する柄杓立てが記載されている。
【特許文献１】特開平８−１１６８４７公報
【特許文献２】特開２００１−２７５５３８公報
【発明の開示】
【発明が解決しようとする課題】
【０００３】
解決しようとする問題点は、撒き餌用の押圧板と柄杓立ての両方を釣り用バケツの一側面に取り付けるのは難しく、無理に取り付けると使用中に脱落する虞があること。
また、それぞれをずらせて釣り用バケツの一側面に取り付けると、撒き餌を使用する釣りは、釣りをしながら手元を見ないで柄杓の操作をするため使い勝手が悪いことである。
【０００４】
本発明の目的は前記欠点に鑑み、手元を見ないで柄杓の操作が容易にできる撒き餌用釣り具を提供することである。
【課題を解決するための手段】
【０００５】
本発明の請求項１は、柄杓で掬った撒き餌を押圧する板体と柄杓立てを、撒き餌収納容器の開口に差し込むための間隙を設けて対向位置に配したことを要旨とするものである。
本発明の請求項２は、板体と柄杓立ては、撒き餌収納容器の開口に着脱可能な係止部を介して連結されていることを要旨とするものである。
本発明の請求項３は、柄杓立ては撒き餌用釣り具に着脱自在に係合していることを要旨とするものである。
本発明の請求項４は、柄杓立ては上方に開口する容器であることを要旨とするものである。
【発明の効果】
【０００６】
本発明により、板体と、柄杓立てを対向させて撒き餌収納容器の一側面に取り付けるため、柄杓の取り上げから撒き餌を掬い杓部内に押し固め投入する一連の操作が釣りをしながら手元を見ないで確実に素早く行える。
【発明を実施するための最良の形態】
【０００７】
撒き餌用釣り具１は合成樹脂や金属で撒き餌４を押圧する板体１ａと柄杓立て保持部１ｂが間隙Ｋをあけて係合部１ｃで連結されて一体に形成されている。
係合部１ｃは鈎状に形成されその内側が撒き餌収納容器２の開口縁に跨って係止される係止部１ｄに構成されて撒き餌収納容器２に着脱可能に構成されている。
柄杓立て保持部１ｂは矩形の枠体状に形成されて矩形の透孔１ｅの中に柄杓立て６が着脱自在に挿入され保持されている。
柄杓立て６はポリプロピレンやポリ塩化ビニ−ル等の合成樹脂で上方が開口した容器で、柄杓立て６の開口６ａが矩形で柄杓立て６は透孔（枠体状の柄杓立て保持部１ｂ内側の開口部）１ｅの寸法より大きい縁部６ｂが形成されて縁部６ｂが柄杓立て保持部１ｂの上に載せられ脱落が防止されて着脱自在に保持されている。
柄杓立て６は板体１ａと対向する前壁６ｃと後壁６ｄがＶ字形にそれぞれ傾斜して形成されている。
柄杓立て６は防水性を有する容器体でその中には水７と柄杓５が挿入される。
【実施例１】
【０００８】
以下、図示の一実施例によって本発明を説明すると、図１は柄杓が差し込まれた撒き餌収納容器の一側面に撒き餌用釣り具を取り付けた断面側面図、図２は柄杓が差し込まれた撒き餌収納容器の一側面に撒き餌用釣り具を取り付けた断面斜視図、図３は撒き餌用釣り具の分解断面側面図である。
【０００９】
撒き餌用釣り具１が取り付けられる撒き餌収納容器２は、上部開口２ａが矩形の容器体で、側面部２ｂと底部２ｃが、例えばエチレン酢酸ビニ−ルや塩化ビニ−ル等の合成樹脂製シ−トを用いて一体、もしくは、複数のシ−トを溶着等で接合して形成されて防水性と柔軟性を有しており、上記シ−トで形成した側面部２ｂは折り曲げることができ撒き餌収納容器２は折り畳みが可能になっている。
撒き餌収納容器２の周囲の側面部２ｂの開口縁に金属線３がシ−ト材で包み込まれ、側面部２ｂは開口２ａにおいて内側から外側へ折り返されて側面部２ｂに高周波溶着等で溶着固定されて溶着部２ｅとなり、折り返しの端部２ｅは溶着部２ｄより突出されている。
側面部２ｂの前面と後面に図示しないハンドルが取り付けられている。
撒き餌収納容器２の中には撒き餌４が収納されて柄杓５で掬い上げられるように構成されている。
柄杓５で掬い上げられた撒き餌４は撒き餌用釣り具１の板体１ａに押圧されて固められる。
【００１０】
撒き餌用釣り具１は合成樹脂や金属で撒き餌４を押圧する板体１ａと柄杓立て６が間隙Ｋをあけて撒き餌収納容器２の開口に係止される係合部１ｃで連結されている。
係合部１ｃは板体１ａと柄杓立て６をそれぞれ上側部で連結し、係合部１ｃの下方に間隙Ｋが設けられる。
係合部１ｃは鈎状に形成され、その内側が撒き餌収納容器２の開口縁に跨って係止される係止部１ｄに構成されて撒き餌収納容器２の開口に着脱可能に構成されている。
係止部１ｄの板体１ａ側の反対側には柄杓立て保持部１ｂが設けられ、柄杓立て保持部１ｂは矩形の枠体状に形成されて矩形の透孔１ｅの中に柄杓立て６が着脱自在に挿入され保持されている。
【００１１】
柄杓立て６はポリプロピレンやポリ塩化ビニ−ル等の合成樹脂で上方が開口した容器で、柄杓立て６の開口６ａが矩形で柄杓立て６は透孔（枠体状の柄杓立て保持部１ｂ内側の開口部）１ｅの寸法より大きい縁部６ｂが形成されて縁部６ｂが柄杓立て保持部１ｂの上に載せられ脱落が防止されて着脱自在に保持されている。
柄杓立て６は板体１ａの形成する面と向い合う位置（対向位置）に配置されるように形成されている。
柄杓立て６は前壁６ｃと後壁６ｄがＶ字形にそれぞれ傾斜して形成されている。
柄杓立て６は防水性を有する容器体でその中には水７と柄杓５が挿入され水７で杓部５ｂを洗うことができる。
柄杓５は柄部５ａの先端に杓部５ｂが設けられ、柄部５ａの後端に握り部５ｃが設けられている。
板体１ａの上側と柄杓立て６の内側の上側にそれぞれブラシ８、９が固定され杓部５ｂに付着した撒き餌を落せるようになっている。
【００１２】
撒き餌される時は、柄杓５の握り部５ｃを握って杓部５ｂで撒き餌４が掬い上げられ、杓部５ｂを板体１ａに押し当てて撒き餌４が固められて投げられる。
この時手元を見ないで握り部５ｃを握って操作される。
撒き餌用釣り具１は板体１ａと柄杓立て保持部１ｂに保持された柄杓立て６が撒き餌収納容器２の開口に差し込むための間隙Ｋをあけて係合部１ｃで連結されて形成され板体１ａと柄杓立て６が対向位置にあるので、釣人は柄杓立て６から取り出した柄杓５をそのまま柄杓立て６から間隙Ｋを隔てた対向位置にある板体１ａ方向へまつすぐ移動させることで柄杓５を見なくても確実に撒き餌収納容器２の中に差し入れることができる。
したがって、釣人は柄杓５を開口に当ててその位置をさぐらなくても撒き餌を掬うことができる。
しかも、撒き餌を掬った柄杓５を柄杓立て６から撒き餌収納容器２へ移動させた方向をそのまま戻せば板体１ａに柄杓５で掬った撒き餌４を押圧する作業が行える。
【００１３】
すなわち、柄杓５を取り出して柄杓５で掬った撒き餌４を押圧して投げられるようにするために柄杓５を同じ方向に往復させるため、作業が簡単になり、手元の柄杓５を見ないでこれら作業が行なえる。
また、板体１ａと柄杓立て６が対向位置にあると、撒き餌収納容器２に撒き餌用釣り具１を係止したときにバランス良く取り付けることができる。
また、板体１ａに柄杓５で掬い上げられた撒き餌４を押し当てて板体１ａが汚れた時には撒き餌収納容器２から取り外して簡単に洗浄することができる。
柄杓立て６の側壁の前壁６ｃと後壁６ｄは垂直面で構成してもよいが、傾斜面で構成しているため、柄杓５を傾けて保持することが出来て手元を見ないでも確実に素早く握り部５ｃを握ることができる。
柄杓立て６は柄杓５を立てた状態で保持できればよく、たとえば網状の容器や袋体などで構成してもよい。
係止部１ｄは鈎状に形成したが撒き餌収納容器２の開口が嵌まり込むものに限らず、撒き餌収納容器２の開口に当接して撒き餌用釣り具が脱落しないようにできるものであれば係止部となる。
【００１４】
前記のように撒き餌用釣り具が構成されると、板体１ａと、柄杓立て６を対向させて撒き餌収納容器２の一側面に取り付けるため、柄杓５の取り上げから撒き餌４を掬い杓部５ｂ内に押し固め投入する一連の操作が釣りをしながら手元を見ないで確実に素早く行える。
【産業上の利用可能性】
【００１５】
本発明は釣り具全般に利用できる。
【図面の簡単な説明】
【００１６】
【図１】柄杓が差し込まれた撒き餌収納容器の一側面に撒き餌用釣り具を取り付けた断面側面図である。
【図２】柄杓が差し込まれた撒き餌収納容器の一側面に撒き餌用釣り具を取り付けた断面斜視図である。
【図３】撒き餌用釣り具の分解断面側面図である。
【符号の説明】
【００１７】
１  撒き餌用釣り具
１ａ  板体
１ｄ  係止部
２  撒き餌収納容器
２ａ  開口
４  撒き餌
５  柄杓
６  柄杓立て
６ａ  開口
【図１】
2005237315.tif 000003
【図２】
2005237315.tif 000004
【図３】
2005237315.tif 000005